(57)【要約】【課題】  供給台に過大な力が加わっても供給台が破損することなく脱落する画像装置を提供する。【解決手段】  印刷媒体に画像を印刷するプリンタと、前記プリンタから突出して設置され前記プリンタに供給する印刷媒体を載置する供給台と、前記プリンタに対し前記供給台を脱着可能に支持する支持部と、を備える画像装置であって、前記供給台は、印刷媒体を載置する載置部と、互いに離れて並んで設置されており同一方向に延びている複数の延出部とを有し、前記支持部は、並び方向の両端に位置している前記延出部の前記プリンタに面している側と反対側を係止する係止部を有し、前記延出部は、前記係止部に向けて所定値以上の力で押し付けられると前記並び方向に弾性変形し前記支持部から脱落する。【選択図】      図１
2005089104.tif 000002
【特許請求の範囲】
【請求項１】
印刷媒体に画像を印刷するプリンタと、
前記プリンタから突出して設置され前記プリンタに供給する印刷媒体を載置する供給台と、
前記プリンタに対し前記供給台を脱着可能に支持する支持部と、
を備える画像装置であって、
前記供給台は、印刷媒体を載置する載置部と、互いに離れて並んで設置されており同一方向に延びている複数の延出部とを有し、
前記支持部は、並び方向の両端に位置している前記延出部の前記プリンタに面している側と反対側を係止する係止部を有し、
前記延出部は、前記係止部に向けて所定値以上の力で押し付けられると前記並び方向に弾性変形し前記支持部から脱落することを特徴とする画像装置。
【請求項２】
前記支持部は、前記支持部から脱落するときに前記延出部が弾性変形する方向と反対方向、ならびに前記延出部の脱落方向および前記脱落方向と反対方向で前記並び方向両端の前記延出部を位置決めしていることを特徴とする請求項１記載の画像装置。
【請求項３】
前記延出部を係止する前記係止部の係止面は、前記脱落方向に向かうにしたがい前記支持部から脱落するときに前記延出部が弾性変形する方向に滑らかに傾斜していることを特徴とする請求項１または２記載の画像装置。
【請求項４】
前記延出部の前記係止部に係止されている側の背面は、前記脱落方向に向かうにしたがい前記支持部から脱落するときに前記延出部が弾性変形する方向に滑らかに傾斜していることを特徴とする請求項１または２記載の画像装置。
【請求項５】
前記延出部の延び方向に沿って前記支持部に前記延出部を挿入可能であり、前記供給台は前記脱落方向と反対方向に突出する突部を有し、前記支持部に前記延出部を挿入した状態で前記突部が嵌合することにより前記延出部が前記支持部から挿入方向と反対方向に抜けることを防止する嵌合凹部を備えることを特徴とする請求項１から４のいずれか一項記載の画像装置。
【請求項６】
前記プリンタの上方で前記プリンタに揺動自在に支持されており原稿台に載置された原稿を走査してディジタル画像を作成するイメージスキャナをさらに備え、前記イメージスキャナは前記イメージスキャナのスキャナハウジングに揺動自在に支持されて前記原稿台を覆う原稿カバーを有し、前記イメージスキャナが揺動して前記イメージスキャナが前記プリンタから離れる開放側に対し前記プリンタが前記イメージスキャナを揺動自在に支持している支持側で前記原稿カバーは前記スキャナハウジングに揺動自在に支持され、前記保持台は前記プリンタの前記支持側で前記支持部に支持されていることを特徴とする請求項１から５のいずれか一項記載の画像装置。
【発明の詳細な説明】
【技術分野】
【０００１】
本発明は、印刷媒体に画像を印刷するプリンタを備える画像装置に関する。
【背景技術】
【０００２】
印刷媒体である印刷用紙等に画像を印刷するプリンタを備える画像装置として、プリンタから突出して設置されプリンタに供給する印刷媒体を載置する供給台を備えるものが知られている。
【発明の開示】
【発明が解決しようとする課題】
【０００３】
しかしながら、プリンタから突出している供給台に、不注意等で過大な力が加わると、供給台が破損する恐れがある。
本発明は、上記問題を解決するために創作されたものであって、供給台に過大な力が加わっても供給台が破損することなく脱落する画像装置を提供することを目的とする。
【課題を解決するための手段】
【０００４】
上記課題を解決するため、本発明に係る画像装置は、印刷媒体に画像を印刷するプリンタと、前記プリンタから突出して設置され前記プリンタに供給する印刷媒体を載置する供給台と、前記プリンタに対し前記供給台を脱着可能に支持する支持部と、を備える画像装置であって、前記供給台は、印刷媒体を載置する載置部と、互いに離れて並んで設置されており同一方向に延びている複数の延出部とを有し、前記支持部は、並び方向の両端に位置している前記延出部の前記プリンタに面している側と反対側を係止する係止部を有し、前記延出部は、前記係止部に向けて所定値以上の力で押し付けられると前記並び方向に弾性変形し前記支持部から脱落することを特徴とする。載置部に載置されている印刷媒体の重量が供給台に加わっても供給台の延出部は支持部に支持され支持部から脱落しないが、供給台に過大な力が加わり延出部が係止部に向けて所定値以上の力で押し付けられると、延出部は並び方向に弾性変形して支持部から脱落する。したがって、供給台に過大な力が加わっても、延出部が破損することなく供給台は脱落する。
【０００５】
また本発明に係る画像装置によると、前記支持部は、前記支持部から脱落するときに前記延出部が弾性変形する方向と反対方向、ならびに前記延出部の脱落方向および前記脱落方向と反対方向で前記並び方向両端の前記延出部を位置決めしていることを特徴とする。延出部が支持部から脱落するときに弾性変形する方向以外で支持部は延出部を位置決めしているので、支持部に支持されている状態で延出部ががたつくことを防止できる。
【０００６】
また本発明に係る画像装置によると、前記延出部を係止する前記係止部の係止面は、前記脱落方向に向かうにしたがい前記支持部から脱落するときに前記延出部が弾性変形する方向に滑らかに傾斜していることを特徴とする。支持部から脱落する方向に延出部に力が加わり係止部の係止面に押し付けられると、延出部は滑らかな係止面に案内され係止面から弾性変形する方向に力を受ける。延出部の弾性変形が妨げられないので、延出部が所定値以上の力で係止面に押し付けられると、延出部は滑らかに弾性変形して支持部から脱落する。
【０００７】
また本発明に係る画像装置によると、前記延出部の前記係止部に係止されている側の背面は、前記脱落方向に向かうにしたがい前記支持部から脱落するときに前記延出部が弾性変形する方向に滑らかに傾斜していることを特徴とする。支持部から脱落する方向に延出部に力が加わり係止部に押し付けられると、延出部の滑らかな背面が係止部に案内され延出部は係止部から弾性変形する方向に力を受ける。延出部の弾性変形が妨げられないので、延出部が所定値以上の力で係止部に押し付けられると、延出部は滑らかに弾性変形して支持部から脱落する。
【０００８】
また本発明に係る画像装置によると、前記延出部の延び方向に沿って前記支持部に前記延出部を挿入可能であり、前記供給台は前記脱落方向と反対方向に突出する突部を有し、前記支持部に前記延出部を挿入した状態で前記突部が嵌合することにより前記延出部が前記支持部から挿入方向と反対方向に抜けることを防止する嵌合凹部を備える。嵌合凹部に供給台の突部が嵌合することにより、挿入方向と反対方向に支持部から延出部が抜けることを防止できる。さらに、供給台に設けた突部は脱落方向と反対方向に突出しているので、延出部が弾性変形して支持部から脱落するときの脱落方向への支持部の動きが妨げられない。
【０００９】
また本発明に係る画像装置によると、前記プリンタの上方で前記プリンタに揺動自在に支持されており原稿台に載置された原稿を走査してディジタル画像を作成するイメージスキャナをさらに備え、前記イメージスキャナは前記イメージスキャナのスキャナハウジングに揺動自在に支持されて前記原稿台を覆う原稿カバーを有し、前記イメージスキャナが揺動して前記イメージスキャナが前記プリンタから離れる開放側に対し前記プリンタが前記イメージスキャナを揺動自在に支持している支持側で前記原稿カバーは前記スキャナハウジングに揺動自在に支持され、前記供給台は前記プリンタの前記支持側で前記支持部に支持されていることを特徴とする。プリンタの上方に設置されたイメージスキャナまたはイメージスキャナの原稿カバーの揺動角度が大きすぎると、プリンタの支持側に設置された供給台にイメージスキャナまたはイメージスキャナの原稿カバーが接触し、所定値以上の力が延出部に加わることがある。しかし、供給台の延出部は弾性変形して支持部から脱落するので、供給台の破損を防止できる。
【発明を実施するための最良の形態】
【００１０】
以下、本発明の実施形態を示す複数の実施例を図に基づいて説明する。
（第１実施例）
図５は本発明の第１実施例による画像装置としての複合機１を示す斜視図である。複合機１は、イメージスキャナ（以下、「イメージスキャナ」をスキャナという）２と、インクジェットプリンタ（以下、「インクジェットプリンタ」をプリンタという）３とを上下の２段で組み合わせたものである。スキャナ２は原稿の読み取り機能を実現し、プリンタ３は画像の印刷機能を実現する。スキャナ２は図示しないヒンジによりプリンタ３に揺動自在に連結されている。
【００１１】
図６に示すように、スキャナ２は、原稿を載置するための原稿台１１を備える箱形の可動ハウジング１２を有し、所謂フラットベッド型のスキャナを構成している。スキャナハウジングとしての可動ハウジング１２の外部に、原稿台１１の盤面を覆う原稿カバー１３が揺動自在に支持されている。可動ハウジング１２の内部には、キャリッジ１４、光源１５、ミラー１６、レンズ１７、リニアイメージセンサ１８及び処理回路１９が収容されている。キャリッジ１４は、原稿台１１の盤面と平行な水平方向に往復移動可能に設けられ、光源１５、ミラー１６及びレンズ１７からなる光学系とリニアイメージセンサ１８とを図６のα方向に運搬する。図６に破線で示すように、光学系は光源１５により照射された原稿Ｍの反射光像をミラー１６及びレンズ１７でリニアイメージセンサ１８に結像する。処理回路１９は、リニアイメージセンサ１８からの出力信号に基づいて原稿像を表すディジタル画像を作成し、作成したディジタル画像をプリンタ３に出力できる。
【００１２】
プリンタ３は、樹脂等で形成された箱形の固定ハウジング２０を有し、その上側にスキャナ２の可動ハウジング１２がヒンジにより揺動自在に支持されている。図４に示すように、スキャナ２が揺動してプリンタ３の上方が開放される開放側１００（図７参照）に対しプリンタ３がスキャナ２を揺動自在に支持している支持側１１０（図７参照）の固定ハウジング２０の背面にＭ字状の凹部２１が形成されている。この凹部２１に図５に示すように、印刷媒体を載置する樹脂製の供給台５０が嵌合している。固定ハウジング２０の内部には、図６に示すように、キャリッジ４０、記録ヘッド４１、複数のインクカートリッジ４２、用紙搬送機構４３、吸収材４４、廃液管４５、後述するクリーニング機構などが収容されている。
【００１３】
記録ヘッド４１は、インク滴を噴射するインクジェット方式により印刷媒体に画像を印刷する。キャリッジ４０は水平方向に往復移動可能に設けられ、搭載した複数のインクカートリッジ４２及び記録ヘッド４１を図６のβ方向に運搬する。各インクカートリッジ４２は、記録ヘッド４１に供給するインクを収容する。各インクカートリッジ４２の収容インクは、互いに異なる色のカラーインクである。記録ヘッド４１は、各インクカートリッジ４２からの供給インクを滴状に吐出する複数の図示しないノズルを備えている。クリーニング機構は、キャップ部材４６、キャップ部材４６を昇降させる図示しない昇降機構、ノズル内のインクを吸引する図示しない吸引ポンプなどを備える。キャリッジ４０が所定のホームポジションに定位するとき、キャップ部材４６は昇降機構によって上昇し、記録ヘッド４１のうち各ノズルの吐出口を形成する部分を気密に覆う。キャップ部材４６には廃液管４５の上流側端部４５ａが接続されており、その下流側端部４５ｂは吸収材４４の下に係止されている。用紙搬送機構４３は、固定ハウジング２０の図示しない給紙口に供給された印刷媒体を所定の印刷位置まで搬送する。さらに搬送機構は、印刷位置で画像の印刷された印刷媒体を搬送して固定ハウジング２０の図示しない排紙口から排出する。制御回路４７は処理回路１９に電気的に接続され、処理回路１９から出力されたディジタル画像に基づいてキャリッジ４０及び用紙搬送機構４３の作動を制御する。
【００１４】
次に、供給台５０および供給台５０を支持する支持部２２の構造について詳細に説明する。
図３に示すように、供給台５０は、印刷媒体である印刷用紙やＯＨＰ(Over-Head Projector)用のシートを載置する板状の載置部５２と、互いに離れて並んで設置されており載置部５２から同一方向に延びている延出部５６とを有している。載置部５２に載置された印刷媒体は、図２に示す供給口２９からプリンタ３内に供給される。２個の延出部５６の根本側に突部である爪５５を有する嵌合部５４が形成されている。爪５５は延出部５６の脱落方向と反対側に突出している。
【００１５】
図３に示すように、固定ハウジング２０にＭ字状に形成された凹部２１には、延出部５６の並び方向に離れている角部に支持部２２が形成されている。図３の矢印Ｘ方向に向けて支持部２２に延出部５６を挿入することにより、延出部５６は支持部２２に脱着可能に支持される。支持部２２に設けられた係止部２４間の距離ｄ２は、延出部５６の並び方向の外側端同士の距離ｄ１よりも短い。
【００１６】
図３の矢印Ｘ方向に支持部２２に延出部５６を挿入すると、図２に示すように嵌合部５４の爪５５が固定ハウジング２０に形成した嵌合凹部２８に嵌合し、挿入方向である図３の矢印Ｘ方向と反対側に供給台５０が抜けることを防止する。
図１に示すように、支持部２２に延出部５６が挿入された状態で、凹部２１の角部である支持部２２は、延出部５６の並び方向両端、ならびに図１の矢印Ｚで示す延出部５６の脱落方向および脱落方向と反対方向の位置決めをしている。したがって、延出部５６は支持部２２にがたつくことなく支持されている。また支持部２２の係止部２４は延出部５６のプリンタ３に面している側と反対側に位置する背面５７を係止している。
【００１７】
例えば、図７の（Ａ）から（Ｂ）に示すように、スキャナ２およびスキャナ２の原稿カバー１３が揺動すると、原稿カバー１３が供給台５０に接触し、供給台５０の延出部５６に図８の（Ａ）に示すようにプリンタ３から脱落するＺ方向に力が加わる。すると、図８の（Ａ）から（Ｂ）に示すように、延出部５６は互いに近づくようにそれぞれ矢印Ｘ、Ｙ方向に弾性変形する。
【００１８】
ここで、係止部２４の係止面２５および延出部５６の背面５７がそれぞれ脱落する図８の矢印Ｚ方向に向かうにしたがい弾性変形する矢印Ｘ、Ｙ方向に滑らかに傾斜する曲面であるから、延出部５６は係止面２５に沿って滑らかに弾性変形する。そして、図８に示すＺ方向に供給台５０に加わる力が所定値以上になると、延出部５６はそれぞれ矢印Ｘ、Ｙ方向に破損することなくさらに弾性変形し、図７の（Ｃ）および図８の（Ｃ）に示すように支持部２２から脱落する。スキャナ２または原稿カバー１３が図７に示すように揺動し供給台５０に接触する以外に、誤って供給台５０に脱落方向に所定値以上の力が加わっても、延出部５６は弾性変形し破損することなく支持部２２から脱落する。
プリンタ３から脱落した供給台５０の延出部５６を図３の矢印Ｘ方向に向けて支持部２２に挿入することにより、プリンタ３に供給台５０を再び設置できる。
【００１９】
（第２実施例、第３実施例）
本発明の第２実施例を図９に、第３実施例を図１０に示す。第１実施例と実質的に同一構成部分に同一符号を付す。
図９に示す第２実施例では、延出部５６を支持するために固定ハウジング２０に形成された凹部６０は矩形である。凹部６０の形状以外の支持部２２および延出部５６の構成は第１実施例と同じである。
【００２０】
図１０に示す第３実施例では、供給台７０の延出部７２は、互いに離れる方向に弾性変形するように、固定ハウジング２０に形成された支持部８０に支持されている。支持部８０に形成された係止部８２の係止面８４および延出部７２の背面７４は、それぞれ延出部７２が脱落する図１０の矢印Ｚ方向に向かうにしたがい延出部７２が弾性変形する矢印Ｘ、Ｙ方向に滑らかに傾斜する曲面である。図１０の（Ｂ）に示すように矢印Ｚ方向に所定値以上の力が延出部７２に加わると、延出部７２はそれぞれ互いに離れる矢印Ｘ、Ｙ方向に弾性変形し支持部８０から脱落する。
【００２１】
以上説明した上記複数の実施例によると、印刷媒体を載置する供給台にプリンタ３の支持部から脱落する方向に所定値以上の力が加わると、延出部が弾性変形して支持部から脱落する。したがって、供給台は破損することなくプリンタ３から脱落することができる。また、支持部に形成された係止部の係止面および延出部の背面が脱落方向に向かうにしたがい弾性変形する方向に滑らかに傾斜しているので、支持部から脱落する延出部の動きが妨げられない。
【００２２】
（他の実施例）
上記複数の実施例では、係止部の係止面および延出部の背面を脱落方向に向かうにしたがい延出部が弾性変形する方向に滑らかに傾斜している曲面にしたが、テーパ面にしてもよい。また、係止部の係止面または延出部の背面のずれか一方だけを、脱落方向に向かうにしたがい延出部が弾性変形する方向に滑らかに傾斜させてもよい。また、供給台の延出部およびプリンタ３の固定ハウジング２０に設けた支持部は樹脂以外の材質で形成してもよい。
【００２３】
上記複数の実施例では、供給台に延出部を２個設けたが、互いに離れて並んで設置され、弾性変形して支持部から脱落できるであれば、延出部を３個以上設置してもよい。また、供給台の載置部と延出部とを別部材にしてもよいし、供給台を支持する支持部をプリンタ３の固定ハウジング２０と別部材にしてもよい。
また本発明は、プリンタは備えるがイメージスキャナのない画像装置であってもよいし、イメージスキャナ以外の装置とプリンタとを組み合わせた画像装置でもよい。
【図面の簡単な説明】
【００２４】
【図１】（Ａ）は本発明の第１実施例による供給台の支持構造を示す模式図、（Ｂ）は（Ａ）のＢ−Ｂ線断面図。
【図２】図１の（Ａ）のII−II線断面図。
【図３】支持部に供給台を挿入する状態を示す模式図。
【図４】供給台を取り付ける前の複合機を示す斜視図。
【図５】供給台を取り付けた後の複合機を示す斜視図。
【図６】第１実施例の複合機を示すブロック図。
【図７】（Ａ）〜（Ｃ）は供給台の脱落経過を示す模式図。
【図８】（Ａ）〜（Ｃ）は供給台の脱落経過を示す断面図。
【図９】（Ａ）は本発明の第２実施例による供給台の支持構造を示す模式図、（Ｂ）は（Ａ）のＢ−Ｂ線断面図。
【図１０】（Ａ）は本発明の第３実施例による供給台の支持構造を示す模式図、（Ｂ）は（Ａ）のＢ−Ｂ線断面図。
【符号の説明】
【００２５】
１  複合機（画像装置）、２  スキャナ（イメージスキャナ）、３  プリンタ、１１  原稿台、１２  スキャナハウジング、１３  原稿カバー、２０  固定ハウジング、２２、８０  支持部、２４、８２  係止部、２５、８４  係止面、２８  嵌合凹部、５０、７０  供給台、５２  載置部、５４  爪（突部）、５６、７２  延出部、５７、７４  背面、１００  開放側、１１０  支持側
【図１】
2005089104.tif 000003
【図２】
2005089104.tif 000004
【図３】
2005089104.tif 000005
【図４】
2005089104.tif 000006
【図５】
2005089104.tif 000007
【図６】
2005089104.tif 000008
【図７】
2005089104.tif 000009
【図８】
2005089104.tif 000010
【図９】
2005089104.tif 000011
【図１０】
2005089104.tif 000012